(57)【要約】本発明はクラフトパルプの漂白の改良に関する。ＥＣＦ漂白においては、二酸化塩素は或る漂白プロセスの位置で好ましい漂白薬剤であることが最も多い。二酸化塩素使用の欠点はＡＯＸの形で有機結合した塩素即ち流出液中の有機結合塩素及び／又はＯＣｌ即ち製造したパルプ中の有機結合塩素が残留量で得られることである。通常の解決方式は二酸化塩素の装填量を減少させることであった。本発明によると、二酸化塩素段階の処理条件が９１℃以上に昇温されしかも９０分以上に延長されたならば、ＡＯＸ濃度の実質的な低減が達成し得る。ＯＣｌを対応的に増大することなく５０％までのＡＯＸの主要な低減が示される。塩素化した物質は、ＡＯＸとして流出液中に放出されるかまたはＯＣｌとしてパルプに結合される代りに、処理条件によって無害な塩素イオンに分解される。【特許請求の範囲】
【請求項１】
若干の漂白段階を用いてクラフトパルプの二酸化塩素漂白で形成された有機結合塩素の量を低減する方法であって、漂白段階の少なくとも１つは漂白薬剤として二酸化塩素を用いる漂白段階であり、前記の漂白段階は漂白系列を形成しており、漂白系列中に用いた第１の二酸化塩素漂白段階は０．５以上の装填率を有するものとする、有機結合塩素低減方法において、漂白系列中に用いた第１の二酸化塩素漂白段階は９１℃以上の温度でしかも９０分以上の滞留時間で操作し、これによって漂白系列からの流出液中に得られるＡＯＸ含量は２５％以上低減されることを特徴とする有機結合塩素低減方法。
【請求項２】
漂白系列中に用いた第１の二酸化塩素漂白段階は、９５℃以上で精々１２０℃までの温度でしかも９０分以上で精々３００分までの滞留時間で、好ましくは約２００分の滞留時間で操作し、第１の二酸化塩素漂白段階は、該段階の温度に対して少なくとも２０％だけ飽和蒸気圧を超える圧力に加圧する請求の範囲第１項記載の方法。
【請求項３】
第１の二酸化塩素漂白段階における装填率は１．５以上であり、好ましくは１．５〜３．０の範囲である請求の範囲第１項又は第２項記載の方法。
【請求項４】
第１の二酸化塩素漂白段階中のパルプ濃度は中位の稠度範囲にあり、即ち７〜２５％である請求の範囲第１項〜第３項の何れかに記載の方法。
【請求項５】
第１の二酸化塩素漂白段階で漂白されるパルプは、第１の二酸化塩素漂白段階で漂白される前に２０以下のカッパー価にまで脱リグニン化され、好ましくは１５以下のカッパー価にまで脱リグニン化される請求の範囲第１項〜第４項の何れかに記載の方法。
【請求項６】
漂白系列における少なくとも１つの二酸化塩素漂白段階にスルファミド酸を添加し、該スルファミド酸は二酸化塩素漂白段階中で中間に形成した塩素又は次亜塩素酸塩を捕捉して反応プロセスによりクロロスルファミド酸を形成する請求の範囲第５項記載の方法。
【請求項７】
スルファミド酸は、漂白系列中の少なくとも１つの二酸化塩素漂白段階に対して、ミリモルの関係に基づいた活性塩素の装入分の量を超える量で添加される請求の範囲第６項記載の方法。
【請求項８】
スルファミド酸は、漂白系列中の少なくとも１つの二酸化塩素漂白段階に対して、パルプのＢＤｔ当り１．０ミリモルのスルファミド酸を超える量で添加される請求の範囲第６項記載の方法。
【請求項９】
漂白系列に添加したスルファミド酸の全装入分の主要部分即ち全装入分の８０％以上、好ましくは１００％は最後の二酸化塩素漂白段階に添加される請求の範囲第６項記載の方法。
【請求項１０】
最後の二酸化塩素漂白段階は、少なくともＤ２段階であり、即ち該二酸化塩素段階は少なくともＤ０段階即ち第１の二酸化塩素段階とＤ１段階とによって先導されしかも二酸化塩素段階同志の間で抽出段階を有し、従ってＤ０−Ｅ−Ｄ１−Ｅ−Ｄ２漂白系列により行なう請求の範囲第９項記載の方法。
【請求項１１】
スルファミド酸を添加する段階で用いた二酸化塩素の装入分は、スルファミド酸を添加することなくこの段階で用いた二酸化塩素の装入分と比較すると、少なくとも１０％だけ増大し、好ましくは２０％増大し、ＩＳＯ白色度と同じ程度で最終的なパルプ白色度が得られ、即ち最終的なＩＳＯ白色度で±１％に対応する同じ程度のＩＳＯ白色度が得られる請求の範囲第８項、第９項又は第１０項記載の方法。
【発明の詳細な説明】
【０００１】
（発明の分野）
本発明は、クラフトパルプの二酸化塩素漂白における塩素化した有機物の形成に関し、パルプ中の有機結合塩素（ｏｒｇａｎｉｃａｌｌｙ ｂｏｕｎｄ ｃｈｌｏｒｉｎｅ）（ＯＣｌ）の量を如何に低減させるか及び／又は廃水中の有機結合塩素化合物（例えばＡＯＸ又はＴＯＣｌとして測定した）の量を如何に低減させるかに関する。
【０００２】
（発明の背景）
これまで知られている最も有効で安価な漂白薬剤は元素態塩素であり、その使用は世界の大部分で最近十年間中に目的となった。この発展の駆動力は市場の要求としてあるいは政府によって規定される環境基準としてあるいはこれら２つの組合せとして表わされる環境上の力であった。元素態塩素の使用に関連してマイナスの環境上の衝撃は主として、塩素化有機構造体が形成されることである。
【０００３】
酸素での脱リグニン系の大量導入に続いて、次後の漂白で必要とされる作業は有意な程に減少でき、ＥＣＦ概念（元素態塩素無含有）即ち何らの元素態塩素又は次亜塩素酸塩を用いない漂白が導入された。元素態塩素の代りに通常用いる薬剤は二酸化塩素であり、これは例えば抽出物を除去するその優れた能力により、パルプの最終的な白色化を得るために且つ良好な清浄化を得るために用いられていた。
【０００４】
例えば塩素漂白で形成された塩素化構造体は、漂白流出液中に見出される時はＡＯＸ（吸着性の有機ハロゲン化合物）及びパルプ中に固着した時はＯＣｌ（有機結合塩素）と表わされる。ＡＯＸとＯＣｌとの両方の量はＥＣＦ漂白への転化により大幅に低減されるが、零のレベルには到達せず、実際上有意な量のＯＣｌがＥＣＦ漂白したパルプ中に尚見出され、有意な量のＡＯＸが二酸化塩素段階からの流出液中に見出される。
【０００５】
これらのレベルはＴＣＦ（完全塩素無含有）漂白操作から生ずるレベルよりもまた有意な程に高い。これは、二酸化塩素がパルプ中のリグニンと反応する時塩素と平衡している次亜塩素酸が形成され、これらの両方共塩素化剤として作用し得るという事実に因る。また、工場の現場（ｍｉｌｌ ｓｉｔｅ）で二酸化塩素を製造する間に、若干の元素態塩素が典型的には１〜４％の程度で、最も多くは５％以下で製造され、かかる元素態塩素は全て用いた二酸化塩素形成プロセスの型式に応じて決まる。
【０００６】
流出液中のＡＯＸを考慮すると、製造したパルプ１トン当りの排出物はＥＣＦ漂白に切換えた時には有意な程に減少するけれども、工場は同時にまた成長し、特定の容器への全ＡＯＸ装填量はずっと変化しなかったことを意味し、未だ潜在的な問題を成していることに留意するのが重要である。図１においては、生産容量が増大したことに因り、ＢＤｔパルプ当りのＡＯＸレベルが経時的に減少したとしても、流出液中のＡＯＸの全量が如何に一定であり得るかを示している。
【０００７】
ＥＣＦ系列で二酸化塩素を用いて漂白されたパルプはそのＯＣｌ含量に因り尚容易に識別され、かかるＯＣｌ含量は或る紙製品で又は或る市場で該パルプを用いるのを妨害する。市場用のパルプを製造する若干の工場では、これは重大な事実である。何故ならば、或る顧客は高含量のＯＣｌパルプには興味を示さないことを意味するからである。
【０００８】
種々の理由のため、ＴＣＦ漂白への実質的な転化はこれまで生起しなかったので、ＥＣＦ漂白においてＯＣｌおよびＡＯＸ問題を解決する革新的な様式に開かれた領域が残っている。
【０００９】
二酸化塩素の全装填量を低減させる明らかな様式は若干の場合には、Ｄ−段階でかなり少量の装填量の二酸化塩素を用いることに乗り出すことであり、これは「ＥＣＦ−軽質（ｌｉｇｈｔ）」概念と呼ばれることが多く、１以下の活性塩素／二酸化塩素の装填率（ｃｈａｒｇｅ ｆａｃｔｏｒ ｏｆ ａｃｔｉｖｅ ｃｈｌｏｒｉｎｅ ａｓ ｃｈｌｏｒｉｎｅ ｄｉｏｘｉｄｅ）であることが多い。
【００１０】
Ｔａｐｐｉのパルプ会議（１９８９）では、２つの論文が呈示され、ＡＯＸ問題への解決策が呈示された。活性塩素／二酸化塩素の低い装填率（即ちカッパー価）を用いることによりＤ−段階（又はＣ−段階又はＣ／Ｄ段階）における脱リグニン化の低下はＡＯＸを減少させる方法として識別され、Ｄ−段階での低い脱リグニン化作用の代償は他段階での高い装填率によって成される。「低いＡＯＸ、可能性及び結果」なる標題の１つの論文（ｐｐ ４２７〜４３６）はＪ． Ｂａｓｔａ， Ｌ． Ｈｏｌｔｉｎｇｅｒ， Ｊ． Ｈｏｏｋ及びＰ． Ｌｕｎｄｇｒｅｎによって提示され、「短系列漂白の環境上の見地（Ｅｎｖｉｒｏｎｍｅｎｔａｌ Ａｓｐｅｃｔｓ ｏｆ Ｓｈｏｒｔ−Ｓｅｑｕｅｎｃｅ Ｂｌｅａｃｈｉｎｇ）」なる標題の別の論文（ｐｐ ５２７〜５３７）はＤｅｇｕｓｓａ社からのＨ． Ｓｕｓｓ， Ｗ． Ｅｕｌ， Ｎ． Ｎｉｍｍｅｒｆｒｏｈ及びＪ． Ｍｅｉｅｒによって提示される。ＡＯＸ低減がＥＣＦ漂白の目的である時、これらの論文の主たる解決方法は、高い装填分の過酸化水素を犠牲にして二酸化塩素の使用を減少させるものである。
【００１１】
この解決方式は欧州特許第５００８１３号に示され、そこでは２．０以下の活性塩素／二酸化塩素の装填率がＤ０段階（即ち多数の系列Ｄ−Ｅ−Ｄ…等における第１のＤ−段階）で用いられ、次のＰ−段階（Ｐ＝過酸化物）は乾燥パルプの１トン当り少なくとも３．０ｋｇの過酸化水素を用い、次の複数Ｄ−段階での二酸化塩素装填量はＤ０段階で用いた装填量よりも少ないか又はこれに等しく即ちＤ０段階の装填量の２０〜１００％である。
【００１２】
この解決方式に加えて、低いｐＨ値で続いてアルカリ性条件にまでｐＨ上昇で短期反応により第１の二酸化塩素段階はｐＨ分布していることが提案された（Ｌｊｕｎｇｇｒｅｎ， Ｓ．， Ｂｅｒｇｎｏｒ， Ｅ．， 及びＫｏｌａｒ， Ｊ． （１９９４）の「改良した現代のＣｌＯ２漂白」、国際パルプ漂白会議（ＩＰＢＣ）、カナダ、Ｖｏｌ． １ ｐｐ １６９〜１７６及びＬｊｕｎｇｇｒｅｎ， Ｓ．， Ｂｅｒｇｎｏｒ−Ｇｉｄｎｅｒｔ， Ｅ． 及びＫｏｌａｒ， Ｊ． （１９９６）の「２工程の低位乃至高位ｐＨ分布を有する二酸化塩素漂白」Ｔａｐｐｉ Ｊ． ７９； １２， ｐｐ． １５２〜１６０）。
【００１３】
この解決方式はウルチム（Ｕｌｔｉｍ）−Ｏ方法（Ｄ０段階とＥ段階との間で洗浄なし）と多数の類似性がある。この解決方式は実際上ＡＯＸ排出物を有意な程に低減させ得たけれども、ＯＣｌ含量は余り影響されておらず、最も重要なことには大幅に上昇したアルカリ性の必要性がこれを余り魅力的なものとしていない。
【００１４】
最近、還元性のアルカリ後処理がパルプのＯＣｌ含量を有意に低減させる方法として提案されている（Ｌｊｕｎｇｇｒｅｎ， Ｓ．， Ｊｏｈａｎｓｓｏｎ， Ｅ． 及びＰｅｔｔｅｒｓｓｏｎ， Ｂ．（１９９８）の「ＯＤＥＤＤ漂白したクラフトパルプの脱塩素化」、リグノセルロース及びパルプについての第５回欧州工場（ＥＷＬＰ）、ポルトガルｐｐ．４３７〜４４０参照）。これはアルカリ抽出が明らかにＯＣｌの除去にきわめて有効な方法であるという周知の事実を利用する幾分洗練された方法である。
【００１５】
有効ではあるけれども、パルプのかかる後処理は追加の洗浄装置と追加の漂白塔との両方を必要とし、この解決方式を工場での実施には余り魅力的でないものとさせる。
【００１６】
二酸化塩素段階での改良は幾つかの目的のため成されている。Ｌａｃｈｅｎａｌ， Ｄ及びＣｈｉｒａｔ， Ｃ． によって提示された論文（１９９８）「高温での二酸化塩素脱リグニン化」（硬材クラフトパルプのＥＣＦ漂白における改善、パルプ会議、米国、Ｖｏｌ．２， ｐｐ６０１〜６０４）においては、慣用のＤ−段階の改良が示唆されている。Ｄ−段階をより有効とさせる目的でしかも二酸化塩素の装填量を低減させる目的で、慣用の４５℃でのＤ−段階を、長い滞留時間（１．５〜４時間）を有する高温（９０〜１００℃）のＤ−段階に変更することが提案された。同じ改良を達成する別の変更が提案されており、そこでは二酸化塩素を消費したＤ−段階後に、Ｄ−段階の「出口」で代りに高温を実施し、このプロセス位置の間は、高温はＤ−段階における二酸化塩素の分解プロセスに影響し得ない。この論文はまた塩素漂白から二酸化塩素漂白への変更はＡＯＸの問題を解決することを示している。
【００１７】
（発明の開示）
本発明の主たる目的は、二酸化塩素段階から出て行く塩素化有機物の全量を低減するものであり、特にＡＯＸ及びＯＣｌの全量を低減するものであり、そこではＡＯＸレベルの少なくとも実質的な低減が達成され、しかもこれは「ＥＣＦ軽質」よりも高い装填量の二酸化塩素で二酸化塩素段階を操作し得るものである。
【００１８】
本発明の別の目的は、漂白系列の第１の二酸化塩素段階で二酸化塩素からの脱リグニン化作用を全部利用するならば、パルプ漂白の全操作経費を低く保持できることであり、これによってｋｇ当り又は漂白効果当りの経費で別のより高価な漂白薬剤の装填量を低い値に保持できる。
【００１９】
本発明の別の目的は、高温で長時間操業した最初の二酸化塩素段階が、恐らくは該段階で生成した塩素化構造体の強制分解によって、約５０％だけＡＯＸの全排出量を低減させる有効な手段であることを示すことである。所与の全二酸化塩素装填量で約５０％だけＡＯＸのこの高い低減は、慣用の条件で即ち約６０〜７０℃で２０〜６０分間最初の二酸化塩素段階の操作と対比される。
【００２０】
更には、最終的なＤ−段階にスルファミド酸を別量で添加することは、漂白したパルプ、好ましくはＥＣＦ漂白したパルプのＯＣｌ含量を実質的に低減させながら、ＡＯＸ及びＯＣｌの全量を低減させる有効な手段として呈示される。何故ならば、スルファミド酸はその場で生成した元素態塩素を捕捉するからである。最終のＤ−段階で約５０％にもなる実質的な前記の低減は、二酸化塩素の同様な装填量で操作されるものである。
【００２１】
本発明は、二酸化塩素の使用を必らずしも低減させることなくしかも尚同じ最終的な白色度に達しなから、ＯＣｌの起源及びこれを低減させる仕方に基づく。ＥＣＦ−漂白したパルプ中にＯＣｌが分布すると重大な役割を演じるものである。
【００２２】
ＡＯＸとＯＣｌとの間の対応を理解するのが重要である。図２において、パルプ中の塩素化物質の３種の主要で可能な真正物を要約する。塩素化に続いて、かくして３種の別種物質が存在し、塩素化構造体は最終的に得られるパルプに付着してＯＣｌとなり、あるいは塩素化構造体は次後の漂白段階中に放出されてＡＯＸとなり、あるいは塩素原子が無害な塩素イオンを形成するように塩素化構造体は置換／分解される。
【００２３】
それ故、例えば或る二酸化塩素装填量で高いＡＯＸ排出量がパルプ中の低いＯＣｌ含量を意味すると判明するようにＡＯＸとＯＣｌとの間に直接的な対応はないことに留意するのが重要である。
【００２４】
５−段階系列の試験
一連の試験において、２９．６ｋｇのＣｌ／ＢＤｔの全二酸化塩素装填量を用いながらＤＥＤＥＤの標準のＥＣＦ漂白系列を用いて、第２列の試験からの酸素で脱リグニンした硬材（ＨＷ）クラフトパルプ（カッパー値９．８）を全白色度（ＩＳＯの８９％以上）にまで漂白した。１９．６ｋｇのＣｌ／ＢＤｔをＤ０段階で用い、５ｋｇのＣｌ／ＢＤｔをＤ１及びＤ２段階の各々で用いた。Ｄ０段階における活性塩素／二酸化塩素の装填率は（１９．６／９．８＝）２．０に等しい。この標準系列を３個の変更した系列、Ｄ＊ＥＤＥＤ、ＤＥＤＥ（ＳＤ）及びＤ＊ＥＤＥ（ＳＤ）と比較した。
【００２５】
Ｄ＊は高温（９０℃）及び長時間（１２０分）で操業したＤ−段階を表わす。「Ｓ」はスルファミド酸の存在を示す。Ｅ段階は前記の如く実施した。Ｄ１及びＤ２段階は７５℃で１２０分間実施した。
【００２６】
一般的方法
カッパー価、粘度及びＩＳＯ白色度はそれぞれのＳＣＡＮ標準規格を用いて分析した。更に、ＳＣＡＮ標準規格のＣＭ５２：９４「パルプ、紙及び板紙−有機塩素」を用いて、種々の段階後のパルプ中のＯＣｌ含量を測定した。
【００２７】
全ての漂白実験はプラスチックバッグ中で１０％のパルプ濃度で行ない、強度の混練後に該バッグを加熱水浴中に配置した。スルファミド酸の装填量は活性塩素の装填量よりもモル基準で幾分高くあるべきであり、この研究では、１．０ミリモルのスルファミド酸／ＢＤｔを意味する。
【００２８】
スルファミド酸の添加が成される段階においては、活性塩素の装填量を増大させて、二酸化塩素の塩素イオンへの還元が元素態イオンのレベルで破壊される時の段階の酸化能力の減少を相殺する。二酸化塩素の酸化能力はスルファミド酸の存在下では２０％だけ減少し、スルファミド酸は中間で生成した元素態イオンを捕捉し、次後の反応様式はスルファミド酸と共に且つこれなしに展開する。
【００２９】
2004522008.tif 000002
実際に、これはスルファミド酸の存在下に二酸化塩素漂白を用いる時には５個の電子のうち４個の電子が用いられることを意味し、かくしてかかる段階への活性塩素の装填量は２５％だけ増大する。この様にして、全てのパルプは「活性な」有効塩素の同一の装填量を受ける。
【００３０】
低含量のＯＣｌパルプを得る方法とＡＯＸ排出量を低減する方法
硬材（ＨＷ）工場の酸素脱リグニン化したクラフトパルプについて５段階漂白研究の結果を次の表１に示す。
【００３１】
2004522008.tif 000003
前記の結果から、第１の漂白段階としてＤの代りにＤ＊を用いるとＡＯＸ排出量を約５０％も低減させ得ることは明白である。この結果は二酸化塩素の同一の全装填量を用いる系列を比較する時に得られることに注目すべきである。ＡＯＸのこの低減に加えて、Ｄ＊の二酸化塩素節約効果（例えばＬａｃｈｅｎａｌ， Ｄ及びＣｈｉｒａｔ，Ｃ （１９９８）の高温二酸化塩素脱リグニン化；硬化クラフトパルプのＥＣＦ漂白における改善、パルプ会議、米国Ｖｏｌ．２ ； ６０１〜６０４頁によって認められる如く）を考慮した時には、該数値は更に低減させることができ、ここでは代りにより高い最終白色度として記録される。
【００３２】
この発見は全く予期せぬものである。ＡＯＸ濃度が減少を経験したならばその時はＯＣｌは同様な程度だけ増大するであろうと予期するものである。然しながら、発見が示す処によれば、ＡＯＸ濃度はＯＣｌの同様な程度の増大なしに減少するものである。
【００３３】
前記結果の解釈は塩素化が余り行われないかあるいは慣用のＤ−段階におけるよりもＤ＊−段階でＡＯＸが余り形成されないことであるべきでない。反対に、Ｄ＊段階の苛酷な条件下では、該段階で生成されるＡＯＸの実質的な部分が例えば無害な塩素イオンに更に分解されると想到するのが適当と思われる。この認識に留意すると、Ｄ＊を（ＡＤ）と対比するのが興味あるものであり、ここでＡは英国特許第１，０６２，７３４号のような概念により長期間高温の酸処理例えば９０〜１００℃で１２０分間実施される。英国特許第１，０６２，７３４号においてはｐＨ２．２５、温度１００℃、期間１２０分でのこの酸処理は白色度の逆転を低減するために実施される。一番端のＡ−段階に続いて中間の洗浄なしに約６０℃で慣用のＤ０−段階を行なう。Ｄ＊と一致して、（ＡＤ）方式は特にＨＷクラフトパルプの漂白に二酸化塩素の全必要量を減少させる能力を与えるが、Ｄ＊はこの点に関してより大きな能力を有することが示された。然しながら、Ｄ＊と正反対に、（ＡＤ）方式は提示したメカニズムによりＡＯＸの低減を何ら可能とさせるものではない。理論上、Ｄ＊は勿論漂白系列における多数のＤ−段階に拘らず漂白系列の任意の位置で利用し得る。然しながら、一般には、該段階の利点は主としてＤ０位置で即ち二酸化塩素を用いる第１の段階でその利用を動機付けることが多い。
【００３４】
最終のＤ−段階でスルファミド酸が存在するとパルプのＯＣｌ含量を低減させる有効な手段であることは表１の結果からも明らかである。図３に示したＯＣｌ図形に留意すると、スルファミド酸の最低装填量に対する最大の効果は、スルファミド酸の添加を最後のＤ−段階で行なう時に得られることが容易に結論されるが、勿論より大きな効果は全てのＤ−段階でスルファミド酸を用いて得られる。スルファミド酸は既に今日例えば操業停止時の機械のスケール除去にパルプ工場で普通用いられるけれども、低いＯＣｌ含量のパルプを得るために連続漂白法でのその使用は新規である。スルファミド酸が二酸化塩素段階での二酸化塩素の消費中に存在するように、スルファミド酸の添加は二酸化塩素段階での漂白プロセス中に連続的な要領で成されるべきである。スルファミド酸は二酸化塩素混合機での二酸化塩素の添加前に、添加後に又は添加中にパルプに添加できる。
【００３５】
（ＳＤ）段階における二酸化塩素装填量は、スルファミド酸により元素態塩素の捕捉に因る失われた酸化力の減損を相殺するために約１５〜３０％だけ、典型的には２５％だけ増大させねばならないように添加すべきである。然しながら、Ｄ２の位置で又は最終のＤ−段階で用いる時は、これはこの最終段階での二酸化塩素に対してきわめて温和な追加必要量を意味する。
【００３６】
２つの概念Ｄ＊及び（ＳＤ）はまた同じ系列で利用でき、かくして表１に示す如くＡＯＸ排出量を低く保持するのと同時に低いＯＣｌ含量を有するパルプを製造できる。
【００３７】
Ｄ０位置で慣用のＤ−段階の代りにＤ＊段階を用いることによりＤＥＤＥＤ系列の全ＡＯＸ排出量の５０％低減が得られると結論される。
【００３８】
最後のＤ−段階を、（ＳＤ）段階でのスルファミド酸添加操作に変更することによりＯＣｌ含量に抵抗することができＯＣｌ含量を現存する漂白系列でさえ約５０％低減させ得る。
【図面の簡単な説明】
【図１】
パルプのＢＤｔ当りのＡＯＸ濃度の経時変化を示す図表である。
【図２】
パルプに結合した塩素化有機構造体の３種の塩素化物質を示す図である。
【図３】
パルプ中のＯＣｌ含量の経時変化を示す図表である。
【国際公開パンフレット】
2004522008.tif 000004
2004522008.tif 000005
2004522008.tif 000006
2004522008.tif 000007
2004522008.tif 000008
2004522008.tif 000009
2004522008.tif 000010
2004522008.tif 000011
2004522008.tif 000012
2004522008.tif 000013
2004522008.tif 000014
2004522008.tif 000015
2004522008.tif 000016
2004522008.tif 000017
【国際調査報告】
2004522008.tif 000018
2004522008.tif 000019
2004522008.tif 000020